(57)【要約】【課題】  本発明は水道施設や電源設備がない、例えばマンション等のベランダで家庭菜園や草花等の植物栽培を行う場合でも、植物に充分な水遣りを自動的に行うことができる自動水遣り装置を提供するものである。【解決手段】  水を収納する容器と、プランター内に設置され、前記容器から水の供給を受ける水遣りパイプと、を有する自動水遣り装置であって、前記水遣りパイプには長手方向又は螺旋状に所定の深さと、所定の幅を有する溝が形成され、該溝には一定間隔で所定サイズの水遣り穴が形成され、前記容器から送られた水を前記水遣り穴から自動的に前記プランターに供給することによって達成できる。【選択図】  図１
2014083013.tif 000002
【特許請求の範囲】
【請求項１】
水を収納する容器と、
プランター内に設置され、前記容器から水の供給を受ける水遣りパイプと、を有する自動水遣り装置であって、
前記水遣りパイプには長手方向、又は螺旋状に所定の深さと、所定の幅を有する溝が形成され、該溝には一定間隔で所定サイズの水遣り穴が形成され、前記容器から送られた水を前記水遣り穴から自動的に前記プランターに供給することを特徴とする自動水遣り装置。
【請求項２】
前記容器にはコックが設けられ、該コックを一定時間開くことによって、前記プランターに水の供給を行なうことを特徴とする請求項１に記載の自動水遣り装置。
【請求項３】
前記容器と水遣りパイプはホースで連結され、前記容器は前記プランターより高い位置に配設され、前記ホースを介して前記プランターに水が供給されることを特徴とする請求項１、又は２に記載の自動水遣り装置。
【請求項４】
前記容器の下面にパイプが接続され、該パイプの他端は前記プランター内に設置された前記水遣りパイプに接続されている請求項１、又は２に記載の自動水遣り装置。
【請求項５】
前記容器の下面にパイプが接続され、該パイプの他端には前記水遣りパイプに接続されたフレキシブルな連結パイプが接続され、前記容器からの水を前記パイプ及び連結パイプを介して前記水遣りパイプに供給することを特徴とする請求項４に記載の自動水遣り装置。
【請求項６】
前記容器は、ポリタンク、又はプラスチィクカートリッジ、又はペットボトルであることを特徴とする請求項１、２、３、４、又は５に記載の自動水遣り装置。
【発明の詳細な説明】
【技術分野】
【０００１】
本発明は水道等の給水設備のない、例えばマンションのベランダ等で行う家庭菜園やガーデニングにおける自動水遣り装置に関する。
【背景技術】
【０００２】
今日のガーデニングブームに伴い、一般家庭でも家庭菜園や草花等の栽培が行われ、庭を持たないマンションやオフィースのベランダ等を利用して植物の栽培が行われている。このような家庭菜園や草花等の栽培には適宜間隔を置いて水遣りを行わなければならない。しかし、一般にマンションやオフィースのベランダには水道等の施設がなく、例えば台所や風呂場等から水を運び、植物に与えているのが現状である。また、仕事や旅行等によって長期間植物に水遣りを行うことができない場合もある。
【０００３】
このような問題を解決するため、特許文献１は雨水を利用して植物への水遣りを行うプランターを開示する。例えば、直接降り注ぐ雨や雨樋を通して流れ込む雨水を濾過し、プランターに供給し、植物への水遣りを行う発明である。
【０００４】
また、特許文献２は水槽に電磁弁とタイマを設け、タイマ時間に合わせて電磁弁を駆動して水槽内の水を植物に定期的に与える発明を開示する。
【先行技術文献】
【特許文献】
【０００５】
【特許文献１】特開２００９−１８９３５５号公報
【特許文献２】特開２００２−３６９６３２号公報
【発明の概要】
【発明が解決しようとする課題】
【０００６】
しかしながら、上記特許文献１の発明によれば、雨水を利用するため雨の少ない時期には、植物に充分な水遣りを行うことができない。また、特許文献２の発明の場合、電磁弁やタイマを使用するため電源装置が必要になる。しかし、一般にマンション等のベランダには電源設備が設けられていない場合が多く、延長コード等を使用して室内の電源を使用することになる。
【０００７】
そこで、本発明は水道施設や電源設備がない、例えばマンションのベランダ等で家庭菜園や草花等の栽培を行う場合でも、植物に充分な水遣りを自動的に行うことができる自動水遣り装置を提供するものである。
【課題を解決するための手段】
【０００８】
上記課題は本発明によれば、水を収納する容器と、プランター内に設置され、前記容器から水の供給を受ける水遣りパイプとを有する自動水遣り装置であって、前記水遣りパイプには長手方向に所定の深さと、所定の幅を有する溝が形成され、該溝には一定間隔で所定サイズの水遣り穴が形成され、前記容器から送られた水を前記水遣り穴から自動的に前記プランターに供給する自動水遣り装置を提供することによって達成できる。
【０００９】
また、上記容器にはコックが設けられ、該コックを一定時間開くことによって、上記プランターに水の供給を行なう。さらに、上記容器と水遣りパイプはホースで連結され、上記容器はプランターより高い位置に配設され、上記ホースを介してプランターに水の供給を行なう。
【００１０】
また、上記課題は本発明によれば、容器の下面にパイプが接続され、該パイプの他端を上記プランター内に設置された水遣りパイプに接続する自動水遣り装置を提供することによっても達成できる。
【００１１】
さらに、容器の下面にパイプが接続され、該パイプの他端には前記水遣りパイプに接続されたフレキシブルな連結パイプが接続され、容器からの水を上記パイプ及び連結パイプを介して水遣りパイプに供給する自動水遣り装置を提供することによっても達成できる。
尚、上記容器は、例えばポリタンク、又はプラスティクカートリッジ、又はペットボトルであり、これらの容器を使用してプランターへの水遣りを行なうことができる。
【発明の効果】
【００１２】
本発明によれば、ポリタンク等の容器からプランター内に配設された水遣りパイプに水を供給することによって、水遣りパイプに形成された溝及び水遣り穴を介して一定間隔で植物に水を供給することができ、更に長期間留守にする場合でも、自動的に植物に水遣りを行うことができる。
【図面の簡単な説明】
【００１３】
【図１】本実施形態の自動水遣り装置を使用したプランターの例である。
【図２】プランターの構成を示す図である。
【図３】水遣りパイプの構成を説明する図である。
【図４】（ａ）は、図３のＡ−Ａ断面図を示し、（ｂ）は、図３のＢ−Ｂ断面図を示す。
【図５】本発明の変形例の自動水遣り装置を説明する図である。
【図６】本発明の他の変形例の自動水遣り装置を説明する図である。
【図７】他の自動水遣り装置の例を説明する図である。
【発明を実施するための形態】
【００１４】
以下、本発明の実施形態を図面に基づいて詳細に説明する。
図１は本実施形態の自動水遣り装置を使用したプランターの例である。本例において、プランター１はポリタンク２から自動的に水遣りが行われ、プランター３はポリタンク４から自動的に水遣りが行われる。プランター１及び３、ポリタンク２及び４は上中下の３段で構成されたプランタ等置台５に載置され、上段５ａにはポリタンク２及び４が載置され、中段５ｂにはプランター１が載置され、下段５ｃにはプランター３が載置されている。
尚、プランタ等置台５の各段５ａ〜５ｃは４本の支柱５ｄ〜５ｇに螺子等で締着され、例えばマンションのベランダ等に置かれている。
【００１５】
ポリタンク２及び４は、例えば１０リットルの容器であり、市販のポリタンクを使用することもできる。このポリタンク２及び４にはコック６及び７が設けられ、このコック６及び７を開くことによってポリタンク２及び４からプランター１及び３に水を供給することができる。例えば、ポリタンク２に設けられたコック６を開くことによってプランター１に水を供給し、ポリタンク４に設けられたコック７を開くことによってプランター３に水を供給することができる。
【００１６】
ポリタンク２及び４には所謂空気穴８及び９が設けられ、ポリタンク２及び４からの給水時、空気穴８からポリタンク２に空気を流入し、空気穴９からポリタンク４に空気を流入する。尚、ポリタンク２及び４に給水を行う場合には、例えばコック６及び７を取り外し、コック６及び７の取り付け部（開口）から水を補給する。この場合、上記空気穴８又は９の直下まで給水を行う。
【００１７】
また、図１に示すように、ポリタンク２からプランター１に水遣りホース１０が延びており、水遣りホース１０の一端は上記コック６に取り付けられ、他端はプランター１内に配設された水遣りパイプに取り付けられている。同様に、ポリタンク４からプランター３に水遣りホース１１が延びており、水遣りホース１１の一端は上記コック７に取り付けられ、他端はプランター３内に配設された水遣りパイプに取り付けられている。
【００１８】
図２はプランター１及び３の構成を説明する図である。尚、プランター１及び３は基本的に同じ構成であり、本例ではプランター１について具体的に説明する。
【００１９】
プランター１内には水遣りパイプ１３が配設されている。この水遣りパイプ１３には上記水遣りホース１０の一端が取り付けられている。また、水遣りパイプ１３には足部材１３ａ、１３ｂが設けられ、この足部材１３ａ、１３ｂを利用してプランター１に水遣りパイプ１３を置くことによって、水遣りパイプ１３はプランター１内の所定の位置に設置される。
【００２０】
尚、プランター１内には、例えば腐葉土等を含む土１４が入っており、家庭菜園や草花等の植物が栽培される。また、水遣りパイプ１３は、例えば土１４を２cm程度被った位置に配設されている。
また、プランター３については具体的に説明しないが、上記プランター１の構成と同様であり、プランター３の所定位置に水遣りパイプ１３が配設されている。
【００２１】
次に、プランター１及び３に配設された上記水遣りパイプ１３の構成について説明する。図３は水遣りパイプ１３の構成を説明する図であり、本例の水遣りパイプ１３には長手方向に沿って所定の深さで、所定幅の溝１５が形成されている。例えば、本例において水遣りパイプ１３の厚さを４ｍｍとした場合、溝１５の深さは２ｍｍに形成され、所定幅は１〜３ｍｍに形成されている。
【００２２】
さらに、上記溝１５にはパイプ１３の長手方向に沿って一定間隔に小さな水遣り穴１６が形成されている。図４（ａ）、（ｂ）は上記水遣りパイプ１３の構成を説明する図である。ここで、図４（ａ）は上記図３のＡ−Ａ断面を示し、同図（ｂ）は上記図３のＢ−Ｂ断面を示す。すなわち、図４（ａ）は上記水遣り穴１６が溝１５に形成された位置の水遣りパイプ１３の断面であり、同図（ｂ）は上記水遣り穴１６が溝１５に形成されていない位置の水遣りパイプ１３の断面である。上記水遣り穴１６は、例えば直径２ｍｍ程度であり、プランター１及び３内の土１４に自動的に水遣りを行うための構成である。尚、本例において、上記溝１５に形成する水遣り穴１６は、例えば２ｃｍの配設間隔で設けられている。
【００２３】
以上の構成の自動水遣り装置において、プランター１及び３に自動的に水遣りを行う場合、以下のようにして行う。尚、ポリタンク２及び４には夫々１０リットルの水が入っているものとする。
【００２４】
先ず、コック６を１０秒ほど開き、ポリタンク２から水遣りホース１０を通してプランター１の水遣りパイプ１３に水を供給する。水遣りパイプ１３に流れ込んだ水は水遣りパイプ１３に形成された水遣り穴１６を介して土１４に流れ込み、プランター１に植えられた野菜や草花等の植物に水を供給する。同様に、コック７を１０秒ほど開き、ポリタンク４から水遣りホース１１を通してプランター３の水遣りパイプ１３に水を供給し、水遣りパイプ１３に形成された水遣り穴１６を介してプランター３に植えられた野菜や草花等の植物に水を供給する。
【００２５】
この場合、水遣りパイプ１３内に流れ込んだ水は全て水遣り穴１６を介してプランター１に供給される訳ではなく、水遣り穴１６近傍の溝１５に位置する土１４に含まれる水分量が一定値を超えると、水遣り穴１６が土１４側からの圧力によって塞がり、水遣り穴１６からの水の供給が止まる。同様に、プランター３側でも、水遣り穴１６近傍の溝１５に位置する土１４に含まれる水分量が一定値を超えると、水遣り穴１６からの水の供給が止まる。
【００２６】
その後、水遣り穴１６近傍の溝１５に位置する土１４が乾くと、土１４側からの圧力が下がり、水遣り穴１６が開いて水遣りパイプ１３に残る水が水遣り穴１６を介してプランター１及び３に供給される。その後、水遣り穴１６近傍の溝１５に位置する土１４に含まれる水分量が一定値を超えると、再度水遣り穴１６が塞がりプランター１及び３への水の供給が止まる。
【００２７】
以下、同様の動作が繰り返され、水遣りパイプ１３を介してプランター１及び３に水が供給される。そして、例えば最初にコック６及び７を開いて１２時間後に水遣りパイプ１３に残る水が無くなる。尚、この時間は前述の水遣り穴１６の直径やコック６及び７を開く時間等によって決まり、例えば上記例では朝夕２回１０秒程度コック６及び７を開き水遣りパイプ１３に水を供給することによって、この間自動的にプランター１及び３に水遣りを行うことができる。
【００２８】
また、上記例では朝夕２回１０秒程度コック６及び７を開き、１０リットルのポリタンク２及び４を使用することによって、例えば１週間プランター１及び３に水遣りを行うことが可能である。また、予め水遣りパイプ１３に形成する水遣り穴１６の大きさやコック６及び７を開く時間等の実測値を計測することによって、コック６及び７を開く回数や時間等を任意に設定でき、極めて利便性のよい自動水遣り装置とすることができる。
【００２９】
また、コック６及び７を開放したままにすることによって、例えば仕事や旅行で数週間家を留守にする場合でも対応でき、この間プランター１及び３に自動的に水遣りを行うことができる。
【００３０】
また、上記実施形態の説明では、ポリタンク２及び４に水を補給する場合、コック６及び７を取り外して行うように説明したが、ポリタンク２及び４の上面に蓋付きの開口を設け、ポリタンク２及び４に水の補給を行うように構成してもよい。
【００３１】
図５は、本発明の変形例の自動水遣り装置を説明する図である。この自動水遣り装置は、同図に示すように、ポリタンク２０の下面にパイプ差込口２１が設けられ、パイプ２２をこのパイプ差込口２１に差し込み、プランター２０とパイプ２２を一体とする構成である。この場合、パイプ２２の先端は前述の水遣りパイプ１３に接続され、前述の例と同様、自動的にプランター１及び３に水遣りを行うことができる。
【００３２】
また、図６は本発明の他の変形例の自動水遣り装置を説明する図である。この場合、同図に示すように、更にパイプ２２に水遣りパイプ２３を連結する。ここで、水遣りパイプ２３はゴム製又はスパイラル金属製のフレキシブルな連結パイプ２４を介装して上記パイプ２２に接続する。このように構成することによっても、自動的にプランター１及び３に水遣りを行うことができる。
【００３３】
特に、この構成の自動水遣り装置を使用する場合、上段５ａにポリタンク２０を置き、中段５ｂ又は下段５ｃに置かれたプランター１及び３の土１４の中に水遣りパイプ２３を入れることによって、簡単に自動水遣り装置をプランター１及び３に設置することができる。
【００３４】
尚、上記図５及び図６の構成の自動水遣り装置の場合も、パイプ差込口２１にコック等を設けることによって、前述の自動水遣り装置と同じように、一定時間間隔でコックを開き、プランター１及び３に水遣りを行うこともできる。
【００３５】
また、コックを設けることなく使用する場合でも、自動的にプランター１及び３に水遣りを行うことができ、ポリタンク２０の水が無くなるまで自動的に水遣りを行うことができる。
【００３６】
さらに、図７は他の自動水遣り装置の例を説明する図である。同図に示す自動水遣り装置はプランタ置台２６の後板２７の裏面にポリタンク２８を配設する構成である。このようにポリタンク２８を後板２７の裏面に配設することによって、ポリタンク２８は正面側から隠れ、例えば正面側からグリーンネット２９を容易に張設でき、プランター３０に植えた植物３１をグリーンネット２９に沿って栽培することができる。
尚、プランター３０内には水遣りパイプ３２が配設され、水遣りパイプ３２へは水遣りホース３３を介してポリタンク２８から水の供給が行なわれる。このように構成することによって、例えば弦状に伸びる植物を栽培する場合有効な自動水遣り装置となる。
【００３７】
尚、上記実施形態の説明では、水の補給はポリタンクを使用して行う構成としたが、例えばプラスチック容器や市販のペットボトル等の容器を使用することもできる。また、ポリタンク等の容器の容量も１０リットルに限定される訳ではなく、栽培する野菜や育てる草花の種類やプランター等の容器によって適宜選択することができる。
【００３８】
また、前述の水遣りパイプ１３の長手方向に形成する溝１５の深さや幅、及び水遣り穴１６の大きさも上記栽培する野菜や育てる草花の種類やプランター等の容器によって適宜選択することができる。
【００３９】
さらに、上記実施形態の説明では水遣りパイプ１３に形成する溝１５は水遣りパイプ１３の長手方向に沿って形成したが、溝１５を水遣りパイプに螺旋状に形成するようにしてもよい。このように構成することによって、プランター内に効率よく水を供給することができる。
【符号の説明】
【００４０】
１、３・・プランター
２、４・・ポリタンク
５・・・プランタ等置台
５ａ・・上段
５ｂ・・中段
５ｃ・・下段
５ｄ〜５ｇ・・支柱
６、７・・コック
９・・・空気穴
１０、１１・・水遣りホース
１３・・水遣りパイプ
１４・・腐葉土
１５・・溝
１６・・水遣り穴
２０・・ポリタンク
２１・・パイプ差込口
２２・・パイプ
２３・・水遣りパイプ
２４・・連結パイプ
２６・・プランタ置台
２７・・後板
２８・・ポリタンク
２９・・グリーンネット
３０・・プランター
３１・・植物
３２・・水遣りパイプ
３３・・水遣りホース
【図１】
2014083013.tif 000003
【図２】
2014083013.tif 000004
【図３】
2014083013.tif 000005
【図４】
2014083013.tif 000006
【図５】
2014083013.tif 000007
【図６】
2014083013.tif 000008
【図７】
2014083013.tif 000009